(57)【要約】【課題】返信メールの応答するテキスト部分が他者からの電子メールのどの部分に対応しているのか理解しやすくする。【解決手段】メール送受信装置１０Ａ，１０Ｂは、返信メールのテキスト部分と、参照メールのテキスト部分と、返信メールのテキスト部分と参照メールのテキスト部分との対応関係を規定する構造データと、を含む電子メールを作成する返信メール作成手段３０と、返信メールのテキスト部分と、参照メールのテキスト部分と、返信メールのテキスト部分と参照メールのテキスト部分との対応関係を規定する構造データと、を含む電子メールを受信した場合に、構造データに基づいて返信メールのテキスト部分および参照メールのテキスト部分の対応関係を認識し、互いに対応関係にあるテキスト部分を、対応テキスト確認用の表示手法で表示する受信メール表示手段２０と、を備える。【選択図】図２
2008134833.tif 000002
【特許請求の範囲】
【請求項１】
別のメール送受信装置との間で電子メールを送受信する機能を有するメール送受信装置であって、
別のメール送受信装置から電子メールを受信した場合に、当該電子メールを参照しつつ応答する返信メールとして、返信メールの少なくとも１つのテキスト部分と、当該返信メールにより参照される参照メールの少なくとも１つのテキスト部分と、返信メールのテキスト部分と参照メールのテキスト部分との対応関係を規定する構造データと、を含む電子メールを作成する返信メール作成手段と、
別のメール送受信装置から、返信メールの少なくとも１つのテキスト部分と、参照メールの少なくとも１つのテキスト部分と、返信メールのテキスト部分と参照メールのテキスト部分との対応関係を規定する構造データと、を含む電子メールを受信した場合に、前記構造データに基づいて前記返信メールのテキスト部分および前記参照メールのテキスト部分の対応関係を認識し、互いに対応関係にあるテキスト部分を、対応テキスト確認用の表示手法で表示する受信メール表示手段と、
を備えることを特徴とするメール送受信装置。
【請求項２】
前記返信メール作成手段は、前記参照メールの応答すべきテキスト部分が指定された状態で、その指定されたテキスト部分に応答を開始する処理が行われた場合に、その指定されたテキスト部分に応答するテキスト部分を入力可能にするとともに、指定されたテキスト部分と応答するテキスト部分との対応関係を規定する構造データを生成することを特徴とする請求項１に記載のメール送受信装置。
【請求項３】
前記受信メール表示手段による対応テキスト確認用の表示手法とは、互いに対応関係にある前記返信メールのテキスト部分および前記参照メールのテキスト部分を並べて表示する表示手法であることを特徴とする請求項１に記載のメール送受信装置。
【請求項４】
前記受信メール表示手段による対応テキスト確認用の表示手法とは、互いに対応関係にある前記返信メールのテキスト部分および前記参照メールのテキスト部分を、他のテキスト部分から識別可能な表示色で表示する表示手法であることを特徴とする請求項１に記載のメール送受信装置。
【請求項５】
前記受信メール表示手段による対応テキスト確認用の表示手法とは、互いに対応関係にある前記返信メールのテキスト部分および前記参照メールのテキスト部分の間に結合線を表示する表示手法であることを特徴とする請求項１に記載のメール送受信装置。
【請求項６】
前記電子メールには、前記参照メールの少なくとも１つのテキスト部分に代えて、メールサーバから当該参照メールの少なくとも１つのテキスト部分をダウンロードするためのポインタ情報が含まれていることを特徴とする請求項１に記載のメール送受信装置。
【請求項７】
前記返信メール作成手段は、ＭＩＭＥ（Multipurpose InternetMail Extension）にしたがって前記返信メールを作成することを特徴とする請求項１に記載のメール送受信装置。
【請求項８】
前記返信メール作成手段は、前記返信メールに、前記テキスト部分の修正の有無を確認するための誤り検出符合を付加することを特徴とする請求項１に記載のメール送受信装置。
【請求項９】
別のメール送受信装置との間で電子メールを送受信する機能を有するメール送受信プログラムであって、
別のメール送受信装置から電子メールを受信した場合に、当該電子メールを参照しつつ応答する返信メールとして、返信メールの少なくとも１つのテキスト部分と、当該返信メールにより参照される参照メールの少なくとも１つのテキスト部分と、返信メールのテキスト部分と参照メールのテキスト部分との対応関係を規定する構造データと、を含む電子メールを作成する返信メール作成機能と、
別のメール送受信装置から、返信メールの少なくとも１つのテキスト部分と、参照メールの少なくとも１つのテキスト部分と、返信メールのテキスト部分と参照メールのテキスト部分との対応関係を規定する構造データと、を含む電子メールを受信した場合に、前記構造データに基づいて前記返信メールのテキスト部分および前記参照メールのテキスト部分の対応関係を認識し、互いに対応関係にあるテキスト部分を、対応テキスト確認用の表示手法で表示する受信メール表示機能と、
をコンピュータに実現させるメール送受信プログラム。
【請求項１０】
別のメール送受信装置との間で電子メールを送受信する機能を有するメール送受信方法であって、
別のメール送受信装置から電子メールを受信した場合に、当該電子メールを参照しつつ応答する返信メールとして、返信メールの少なくとも１つのテキスト部分と、当該返信メールにより参照される参照メールの少なくとも１つのテキスト部分と、返信メールのテキスト部分と参照メールのテキスト部分との対応関係を規定する構造データと、を含む電子メールを作成する返信メール作成ステップと、
別のメール送受信装置から、返信メールの少なくとも１つのテキスト部分と、参照メールの少なくとも１つのテキスト部分と、返信メールのテキスト部分と参照メールのテキスト部分との対応関係を規定する構造データと、を含む電子メールを受信した場合に、前記構造データに基づいて前記返信メールのテキスト部分および前記参照メールのテキスト部分の対応関係を認識し、互いに対応関係にあるテキスト部分を、対応テキスト確認用の表示手法で表示する受信メール表示ステップと、
を含むメール送受信方法。
【発明の詳細な説明】
【技術分野】
【０００１】
本発明は、電子メールの送受信を行うための電子メール送受信装置、電子メール送受信プログラム、および電子メール送受信方法に関する。
【背景技術】
【０００２】
従来文献（特許文献１）には、通信網を介して互いに接続された送信端末、受信端末および電子メールセンタが示されている。送信端末では、操作者がテキストデータや画像データなどの複数のデータを入力してからこれらのデータ間のリンク関係を指定すると、指定されたリンク関係に従って構造化された電子メールが、電子メールセンタを経由して受信端末へ送信される。受信端末では、電子メールを受信すると、この電子メールのリンク関係を解釈し、このリンク関係に従ってテキストデータや画像データなどを提示する。
【特許文献１】特開平６−２９０１２２号公報
【発明の開示】
【発明が解決しようとする課題】
【０００３】
他者からの電子メールに応答する返信メールには、他者からの電子メールの一部に応答するテキスト部分が含まれている。しかし、一般的なメール送受信システムでは、返信メールの応答するテキスト部分が、他者からの電子メールのどの部分に応答するものかを一見して理解し難い。
【０００４】
本発明は、上記の課題を解決するためになされたもので、返信メールの応答するテキスト部分が他者からの電子メールのどの部分に対応しているのか理解しやすくすることができる電子メール送受信装置、電子メール送受信プログラム、および電子メール送受信方法を提供することを目的とする。
【課題を解決するための手段】
【０００５】
上述した目的を達成するために、本発明に係るメール送受信装置は、別のメール送受信装置との間で電子メールを送受信する機能を有するメール送受信装置であって、別のメール送受信装置から電子メールを受信した場合に、当該電子メールを参照しつつ応答する返信メールとして、返信メールの少なくとも１つのテキスト部分と、当該返信メールにより参照される参照メールの少なくとも１つのテキスト部分と、返信メールのテキスト部分と参照メールのテキスト部分との対応関係を規定する構造データと、を含む電子メールを作成する返信メール作成手段と、別のメール送受信装置から、返信メールの少なくとも１つのテキスト部分と、参照メールの少なくとも１つのテキスト部分と、返信メールのテキスト部分と参照メールのテキスト部分との対応関係を規定する構造データと、を含む電子メールを受信した場合に、構造データに基づいて返信メールのテキスト部分および参照メールのテキスト部分の対応関係を認識し、互いに対応関係にあるテキスト部分を、対応テキスト確認用の表示手法で表示する受信メール表示手段と、を備えることを特徴とする。
【０００６】
また、本発明に係るメール送受信プログラムは、別のメール送受信装置との間で電子メールを送受信する機能を有するメール送受信プログラムであって、別のメール送受信装置から電子メールを受信した場合に、当該電子メールを参照しつつ応答する返信メールとして、返信メールの少なくとも１つのテキスト部分と、当該返信メールにより参照される参照メールの少なくとも１つのテキスト部分と、返信メールのテキスト部分と参照メールのテキスト部分との対応関係を規定する構造データと、を含む電子メールを作成する返信メール作成機能と、別のメール送受信装置から、返信メールの少なくとも１つのテキスト部分と、参照メールの少なくとも１つのテキスト部分と、返信メールのテキスト部分と参照メールのテキスト部分との対応関係を規定する構造データと、を含む電子メールを受信した場合に、構造データに基づいて返信メールのテキスト部分および参照メールのテキスト部分の対応関係を認識し、互いに対応関係にあるテキスト部分を、対応テキスト確認用の表示手法で表示する受信メール表示機能と、をコンピュータに実現させるメール送受信プログラムである。
【０００７】
また、本発明に係るメール送受信方法は、別のメール送受信装置との間で電子メールを送受信する機能を有するメール送受信方法であって、別のメール送受信装置から電子メールを受信した場合に、当該電子メールを参照しつつ応答する返信メールとして、返信メールの少なくとも１つのテキスト部分と、当該返信メールにより参照される参照メールの少なくとも１つのテキスト部分と、返信メールのテキスト部分と参照メールのテキスト部分との対応関係を規定する構造データと、を含む電子メールを作成する返信メール作成ステップと、別のメール送受信装置から、返信メールの少なくとも１つのテキスト部分と、参照メールの少なくとも１つのテキスト部分と、返信メールのテキスト部分と参照メールのテキスト部分との対応関係を規定する構造データと、を含む電子メールを受信した場合に、構造データに基づいて返信メールのテキスト部分および参照メールのテキスト部分の対応関係を認識し、互いに対応関係にあるテキスト部分を、対応テキスト確認用の表示手法で表示する受信メール表示ステップと、を含むメール送受信方法である。
【発明の効果】
【０００８】
本発明によれば、返信メールの応答内容が元メールのどの部分に対応しているのか理解しやすくすることができる電子メール送受信装置、電子メール送受信プログラム、および電子メール送受信方法を提供することができる。
【発明を実施するための最良の形態】
【０００９】
以下、添付図面を参照して、本発明の好適な実施形態について詳細に説明する。なお、説明において、同一要素又は同一機能を有する要素には、同一符号を用いることとし、重複する説明は省略する。
【００１０】
図１には、本発明の実施形態に係るメール送受信システム１の概要が示されている。メール送受信システム１では、２つのメール送受信装置１０Ａ，１０Ｂが、インターネット、ＬＡＮ（Local Area Network）などのネットワーク４０を介して互いに接続されている。また、メールサーバ５０が、メール送受信装置１０Ａ，１０Ｂからアクセス可能にネットワーク４０に接続されている。なお、図１では、説明の便宜のためにメール送受信システム１が簡略化して示されており、実際にはより多くのメール送受信装置１０Ａ，１０Ｂがメール送受信システム１に含まれる。
【００１１】
図２は、メール送受信装置１０Ａ，１０Ｂの各々の内部構成を示すブロック図である。メール送受信装置１０Ａ，１０Ｂは、一般的に用いられている公知のメール送受信装置と同様に、他のメール送受信装置との間で電子メールを送受信することが可能に構成されている。また、メール送受信装置１０Ａ，１０Ｂは、本実施形態における構造化された電子メールを処理するための特有な構成として、他のメール送受信装置１０Ａ，１０Ｂから電子メールを受信した時にその電子メールを表示するための受信メール表示手段２０と、他のメール送受信装置１０Ａ，１０Ｂに送信する電子メールを作成するための送信メール作成手段３０と、を備えている。なお、メール送受信装置１０Ａ，１０Ｂとしては、ＣＰＵ（Central Processing Unit）、ＲＡＭ（Random Access Memory）、ＲＯＭ（Read OnlyMemory）などを含む一般的なパーソナルコンピュータを用いればよい。
【００１２】
受信メール表示手段２０は、構造解析部２２と、表示レイアウト決定部２４と、表示処理部２６と、モニタ２８とを有している。構造解析部２２は、構造化された電子メールを受信した時にその電子メールの構造を解析するための処理部であり、ＣＰＵの一処理として構成される。表示レイアウト決定部２４は、構造化された電子メールの表示レイアウトを決定して、後述する対応テキスト確認用の表示手法による表示を行うための処理部であり、ＣＰＵの一処理として構成される。表示処理部２６は、所定の画像をモニタ２８上に表示させるための処理部であり、プロセッサとして構成される。モニタ２８は、表示処理部２６による処理にしたがって所定の画像を表示するものであり、液晶表示装置などの一般的なモニタである。
【００１３】
送信メール作成手段３０は、入力部３６と、入力処理部３４と、構造作成部３２と、を有している。入力部３６は、ユーザーにより操作されて情報を入力するためのものであり、キーボードやマウスなどの一般的な入力装置である。入力処理部３４は、ユーザーによるキーボードやマウスなどの操作内容を認識するための処理部であり、プロセッサとして構成される。構造作成部３２は、構造化された電子メールを生成するための処理部であり、ＣＰＵの一処理として構成される。
【００１４】
図３には、本実施形態における構造化された電子メールのデータ構造の一例が示されている。電子メール３００は、構造データ３９０と、電子メール３００のテキスト部分３１０，３２０と、電子メール２００のテキスト部分２１０，２２０と、電子メール１００のテキスト部分１１０（テキスト部分１１１を含む）とを含んでいる。ここで、電子メール３００は電子メール２００に対する返信メールであり、電子メール２００は電子メール１００に対する返信メールである。言い換えれば、電子メール２００は電子メール３００により参照される参照メールであり、電子メール１００は電子メール２００により参照される参照メールである。
【００１５】
構造データ３９０は、返信メールのテキスト部分と参照メールのテキスト部分との対応関係をＸＭＬ（Extensible Markup Language）形式で記述したデータである。この構造データ３９０によれば、電子メール３００のテキスト部分３１０は、電子メール２００のテキスト部分２１０およびテキスト部分２２０に応答するものである。また、電子メール２００のテキスト部分２１０は、電子メール１００のテキスト部分１１１に応答するものであり、電子メール２００のテキスト部分２２０は、電子メール１００のテキスト部分１１０に応答するものである。このようなテキスト部分の対応関係が、図４に概念的に示されている。なお、上記の構造データ３９０では、全てのテキスト部分の対応関係が１つの電子メール３００のヘッダとして配置されているが、電子メール３００，２００，１００の各々のテキスト部分の対応関係が、電子メール３００，２００，１００の各々のヘッダとして分離した状態で配置されてもよい。
【００１６】
次に、図５のフローチャートを参照して、メール送受信装置１０Ａ，１０Ｂにおける送信メール作成処理について説明する。図５に示される送信メール作成処理は、メール送受信装置１０Ａ，１０Ｂがメール送受信プログラムを実行することにより実現される。ここでは、メール送受信装置１０Ａが、メール送受信装置１０Ｂからの電子メール２００を受信した場合に、これに返信する電子メール３００を作成する状況を一例として、送信メール作成処理を説明する。
【００１７】
ユーザーがキーボードやマウスなどの入力部３６を用いて、返信メールの作成を開始するための所定操作（例えば、モニタ２８上に表示された返信メール作成ボタンのクリック）を行うと、メール送受信装置１０Ａは、その返信メール作成操作に応じて、テキストが未入力状態の返信メール３００を新たに生成して、この返信メール３００をモニタ２８上に表示する（Ｓ５０１，Ｓ５０２）。
【００１８】
ユーザーはキーボードを用いて返信メール３００のテキストを入力する。ユーザーにより入力されるテキスト部分が、参照メール２００の特定のテキスト部分に応答するものではない場合には、ユーザーは通常のテキスト入力を行う。この通常のテキスト入力処理は、一般的に用いられているメール送受信装置によるテキスト入力処理と同じである。メール送受信装置１０Ａは、ユーザーの通常のテキスト入力に応じて、参照メール２００のいずれのテキスト部分にも対応しないテキスト部分３２０のデータを生成する（Ｓ５０３）。
【００１９】
一方、ユーザーが参照メール２００のテキスト部分２１０，２２０に応答する返信テキスト部分を入力したい場合には、ユーザーはキーボードやマウスなどの入力部３６を用いて、モニタ２８に表示される参照メール２００においてテキスト部分２１０，２２０の範囲を指定し、返信テキストの作成を開始するための所定操作（例えば、モニタ２８上に表示された返信テキスト作成ボタンのクリック）を行う。これにより、メール送受信装置１０Ａは、返信テキスト部分を入力可能な状態となり、ユーザーのテキスト入力に応じて返信テキスト部分３１０のデータを生成する（Ｓ５０４，Ｓ５０５）。
【００２０】
ユーザーが通常テキスト部分および返信テキスト部分の入力を繰り返して全てのテキスト部分３１０，３２０を入力し終えると、メール送受信装置１０Ａは、返信メール３００の構造データ３９０を生成する（Ｓ５０６）。ここで、メール送受信装置１０Ａは、参照メール２００の構造データに、返信メール３００のテキスト部分３１０が参照メール２００のテキスト部分２１０，２２０に応答するものであることを示す構造データを追加することで、新たな構造データ３９０を生成する。
【００２１】
以上の処理により構造化された返信メール３００の作成が完了すると、ユーザーがキーボードやマウスなどの入力部３６を用いて電子メール送信操作を行う。メール送受信装置１０Ａはこの電子メール送信操作に応じて、構造化された返信メール３００をネットワーク４０を介して他のメール送受信装置１０Ｂに送信する（Ｓ５０７）。
【００２２】
次に、図６のフローチャートを参照して、メール送受信装置１０Ａ，１０Ｂにおける受信メール表示処理について説明する。図６に示される受信メール表示処理は、メール送受信装置１０Ａ，１０Ｂがメール送受信プログラムを実行することにより実現される。ここでは、メール送受信装置１０Ｂが、メール送受信装置１０Ａからの電子メール３００を受信した場合に、この電子メール３００を表示する状況を一例として、受信メール表示処理を説明する。
【００２３】
メール送受信装置１０Ｂは、メール送受信装置１０Ａから送信されてきた電子メール３００を受信する（Ｓ６０１）。ユーザーがキーボードやマウスなどの入力部３６を用いて、電子メール３００を開いて表示させるための所定操作を行うと、メール送受信装置１０Ｂは、電子メール３００の構造データを解析して複数のテキスト部分の対応関係を認識するとともに、電子メール３００を一般的な通常の表示手法で表示する（Ｓ６０２，Ｓ６０３）。ここで、通常の表示手法とは、例えば、電子メール３００の全てのテキスト部分を表示する表示手法である。なお、通常の表示手法は、電子メール３００の全てのテキスト部分に続いて電子メール２００，１００の全てのテキスト部分を表示する表示手法でもよい。
【００２４】
ユーザーは、電子メール３００のテキスト部分３１０が如何なる内容のテキストに応答しているのかを知りたい場合には、キーボードやマウスなどの入力部３６を用いて、電子メール３００のテキスト部分３１０を選択する所定操作（例えば、モニタ２８上に表示されたテキスト部分３１０のクリック）を行う（Ｓ６０４）。メール送受信装置１０Ｂは、この選択操作に応じて、対応テキスト確認用の特殊な表示手法で電子メール３００をモニタ２８に表示する（Ｓ６０５）。この対応テキスト確認用の表示手法とは、ユーザーにより選択されたテキスト部分３１０と、それに対応するテキスト部分２１０，２２０を、ユーザーが認識しやすいように通常とは異なる手法で表示する表示手法である。
【００２５】
図７には、対応テキスト確認用の表示手法で表示された電子メールの第１表示例が示されている。この第１表示例では、表示画面の左側に、ユーザーにより選択されたテキスト部分３１０が表示されており、表示画面の右側に、そのテキスト部分３１０と対応関係にある電子メール２００のテキスト部分２１０，２２０が並べて表示されている。このように表示することにより、ユーザーはテキスト部分３１０が如何なる内容のテキストに応答しているのかを一見して容易に理解することができる。
【００２６】
図８には、対応テキスト確認用の表示手法で表示された電子メールの第２表示例が示されている。この第２表示例では、電子メール３００および電子メール２００に含まれる全てのテキスト部分が表示されており、特に、ユーザーにより選択されたテキスト部分３１０と、そのテキスト部分３１０と対応関係にある電子メール２００のテキスト部分２１０，２２０とが、周囲から区別できるように着色してハイライト表示されている。このように表示することにより、ユーザーはテキスト部分３１０が如何なる内容のテキストに応答しているのかを一見して容易に理解することができる。
【００２７】
図９には、対応テキスト確認用の表示手法で表示された電子メールの第３表示例が示されている。この第３表示例では、構造データ３９０で対応関係が記述された全てのテキスト部分３１０，２１０，２２０，１１０，１１１が表示されており、対応関係にある２つのテキスト部分の間には結合線（矢印）が表示されている。このように表示することにより、ユーザーはテキスト部分の応答の流れを一見して容易に理解することができる。
【００２８】
なお、上述した実施形態では、構造化された電子メール３００に、この電子メール３００により参照される参照メール２００，１００のテキスト部分のデータが含まれているが、これに代えて次に説明するようにしてもよい。すなわち、ネットワーク４０を介してアクセス可能なメールサーバ５０に、参照メールの全てのテキスト部分を格納しておく。メール送受信装置１０Ａ，１０Ｂは、電子メールの作成時に、参照メールのテキスト部分のデータに代えて、メールサーバ５０において参照メールのテキスト部分が格納された記憶領域を指定するポインタ情報を、電子メールの構造データに含める。電子メールを受信したメール送受信装置１０Ａ，１０Ｂは、このポインタ情報にしたがってメールサーバ５０から参照メールのテキスト部分をダウンロードして取得する。以上の処理によれば、構造化された電子メールに、参照メールのテキスト部分のデータを含める必要がなくなるため、構造化された電子メールのデータ量を削減することができる。
【００２９】
また、次に説明するようにしてもよい。すなわち、ネットワーク４０を介してアクセス可能なメールサーバ５０に、参照メールの全てのテキスト部分および構造データを格納しておく。メール送受信装置１０Ａ，１０Ｂは、電子メールの作成時に、参照メールのテキスト部分のデータに代えて、応答するテキスト部分の識別ＩＤを含むポインタ情報を、電子メールの構造データに含める。電子メールを受信したメール送受信装置１０Ａ，１０Ｂがこのポインタ情報をメールサーバ５０に送ると、メールサーバ５０は構造データを参照して応答テキスト部分の識別ＩＤに対応する参照メールのテキスト部分を探索し、メール送受信装置１０Ａ，１０Ｂに送る。以上の処理によっても、構造化された電子メールに、参照メールのテキスト部分のデータを含める必要がなくなるため、構造化された電子メールのデータ量を削減することができる。
【００３０】
なお、本実施形態のメール送受信装置１０Ａ，１０Ｂは、構造化された電子メールに対処する機能を持たない一般的なメール送受信装置との互換性を考慮して、構造化された電子メールを作成している。以下に、一般的なメール送受信装置との互換性の維持について説明する。
【００３１】
本実施形態のメール送受信装置１０Ａ，１０Ｂは、電子メールに関する規格であＭＩＭＥ（MultipurposeInternet Mail Extension）にしたがって電子メールを作成しており、構造化された電子メールのＭＩＭＥ‐ｔｙｐｅを本実施形態に特有のメール送受信装置１０Ａ，１０Ｂにのみ対応されるタイプに設定している。このように作成された電子メールが一般的なメール送受信装置により受信された場合には、一般的なメール送受信装置はＭＩＭＥ‐ｔｙｐｅに対応していないため、電子メールが構造化されていることを認識することなく、構造化された電子メールを通常の電子メールと同様にモニタに表示する。
【００３２】
また、一般的なメール送受信装置が、構造化された電子メールに対して返信メールを作成する場合には、通常どおりの処理で返信メールを作成することができる。一般的なメール送受信装置により返信メールが作成された場合には、本実施形態に特有の構造データが生成されることはないが、それまでに電子メールに付加された構造データは残される。よって、一般的なメール送受信装置により作成された返信メールを、本実施形態に特有のメール送受信装置１０Ａ，１０Ｂが受信した場合には、メール送受信装置１０Ａ，１０Ｂは、それまでに電子メールに付加された構造データを利用することができる。
【００３３】
また、本実施形態のメール送受信装置１０Ａ，１０Ｂは、構造化された電子メールを作成する際に、テキスト部分が変更されていないことを確認するための誤り検出符合データを生成して、この誤り検出符合データを電子メールに付加する。上述したように、一般的なメール送受信装置では、構造化された電子メールが通常の電子メールと同様に表示されるため、構造化された電子メールはユーザーにより編集されるおそれがある。よって、本実施形態のメール送受信装置１０Ａ，１０Ｂは、他のメール送受信装置から電子メールを受信した場合には、誤り検出符合データを利用して、他のユーザーによりテキスト部分が変更されていないことを確認する。これにより、ユーザーは、テキスト部分の修正の有無を確認することができる。
【図面の簡単な説明】
【００３４】
【図１】本発明の実施形態に係るメール送受信システムを示す概略図である。
【図２】本発明の実施形態に係るメール送受信装置を示すブロック図である。
【図３】電子メールのデータ構造を示す図である。
【図４】構造化された電子メールを概念的に示す図である。
【図５】送信メール作成処理を示すフローチャートである。
【図６】受信メール表示処理を示すフローチャートである。
【図７】電子メールの第１の表示画面を示す図である。
【図８】電子メールの第２の表示画面を示す図である。
【図９】電子メールの第３の表示画面を示す図である。
【符号の説明】
【００３５】
１…メール送受信システム、１０Ａ，１０Ｂ…メール送受信装置、２０…受信メール表示手段、２２…構造解析部、２４…表示レイアウト決定部、２６…表示処理部、２８…モニタ、３０…送信メール作成手段、３２…構造作成部、３４…入力処理部、３６…入力部、４０…ネットワーク、５０…メールサーバ。
【図１】
2008134833.tif 000003
【図２】
2008134833.tif 000004
【図３】
2008134833.tif 000005
【図４】
2008134833.tif 000006
【図５】
2008134833.tif 000007
【図６】
2008134833.tif 000008
【図７】
2008134833.tif 000009
【図８】
2008134833.tif 000010
【図９】
2008134833.tif 000011